(57)【特許請求の範囲】
【請求項１】
筒状の側面部と、
前記側面部の一方の筒口を閉塞する底面部とを備え、
前記側面部は、内側に突出する挟持用突部を設けて形成された、他方の筒口の開口部における刷毛の一端側の動きを規制する刷毛立て部を有し、
前記底面部は、前記側面部の開口部側に突出する突出部を設けて形成された、該底面部における刷毛の他端側の動きを規制する刷毛置き部を有し、前記突出部によって囲われる部分の底面が他の部分の底面よりも底上げされている
塗装用内容器。
【請求項２】
前記側面部は、外容器の側面部に沿った曲面を有する曲面部と、平面視で前記外容器の内部空間を分割する平面部とを有し、
前記刷毛立て部は、前記挟持用突部と前記平面部とを用いて前記刷毛の一端側の動きを規制する
請求項１に記載の塗装用内容器。
【請求項３】
前記側面部は、外容器の側面部に沿った曲面を有する曲面部と、平面視で前記外容器の内部空間を分割する平面部とを有し、
前記刷毛置き部は、前記突出部と前記平面部とを用いて前記刷毛の他端側の動きを規制する
請求項１又は２に記載の塗装用内容器。
【請求項４】
前記側面部は、前記曲面部の端に前記外容器の開口部の周縁に掛止される掛止部を有する
請求項２又は３に記載の塗装用内容器。
【請求項５】
前記刷毛置き部は、底面が傾斜した傾斜部を有している
請求項１から４の何れかに記載の塗装用内容器。
【発明の詳細な説明】
【技術分野】
【０００１】
本発明は、塗装用内容器に関する。
【背景技術】
【０００２】
塗装の際に用いる下げ缶等の外容器に嵌め込んで使用する塗装用内容器が知られている。例えば、下記の特許文献１には、底辺部に刷毛置き台を有する塗装用内容器について開示されている。また、下記の特許文献２には、一の塗料が収容されるカートリッジを着脱自在に組み合わせることにより、所定数の塗料を取り換え自在に収容する塗装用内容器について開示されている。
【先行技術文献】
【特許文献】
【０００３】
【特許文献１】登録実用新案第３１６８９０４号公報
【特許文献２】登録実用新案第３１６３８０８号公報
【発明の概要】
【発明が解決しようとする課題】
【０００４】
このように利便性を高める為に種々の塗装用内容器が提案されているが、さらなる利便性の向上を図ることができる塗装用内容器が望まれている。
【０００５】
したがって、本発明の目的の一つは、より利便性を高めることができる塗装用内容器を提供することにある。
【課題を解決するための手段】
【０００６】
本発明は、
筒状の側面部と、
前記側面部の一方の筒口を閉塞する底面部とを備え、
前記側面部は、内側に突出する挟持用突部を設けて形成された、他方の筒口の開口部における刷毛の一端側の動きを規制する刷毛立て部を有し、
前記底面部は、前記側面部の開口部側に突出する突出部を設けて形成された、該底面部における刷毛の他端側の動きを規制する刷毛置き部を有し、前記突出部によって囲われる部分の底面が他の部分の底面よりも底上げされている
塗装用内容器である。
【０００７】
本発明によれば、より利便性を高めることができる。なお、本明細書において例示された効果により本発明の内容が限定して解釈されるものではない。
【図面の簡単な説明】
【０００８】
【図１】第１実施形態に係る塗装用内容器の構成例を示す外観斜視図である。
【図２】塗装用内容器の構成例を示す断面図である。
【図３】塗装用内容器の構成例を示す断面図である。
【図４】外容器の構成例を示す外観斜視図である。
【図５】刷毛置き部の他の構成例を示す断面図である。
【図６】刷毛置き部の他の構成例を示す断面図である。
【図７】刷毛置き部の他の構成例を示す斜視図である。
【図８】塗装用内容器の使用例を説明する為の説明図である。
【図９】第２実施形態に係る塗装用内容器の構成例を示す外観斜視図である。
【図１０】塗装用内容器の構成例を示す断面図である。
【図１１】塗装用内容器の使用例を説明する為の模式的な平面図である。
【図１２】第１変形例による塗装用内容器の構成例を示す外観斜視図である。
【図１３】第２変形例による塗装用内容器の構成例を示す外観斜視図である。
【図１４】第３変形例による塗装用内容器の構成例を示す模式的な平面図である。
【図１５】第４変形例による塗装用内容器の構成例を示す図である。
【図１６】第５変形例による塗装用内容器の構成例を示す断面図である。
【図１７】第６変形例による塗装用内容器の構成例を示す図である。
【図１８】塗装用内容器の他の使用例を説明する為の模式的な平面図である。
【発明を実施するための形態】
【０００９】
以下、本発明の実施形態について図面を参照しながら説明する。説明は、以下の順序で行う。なお、図示が煩雑となることを防止するために、参照符号の一部のみを図示する場合がある。また、以下の説明において、同一の名称、符号については同一もしくは同質の部材を示しており、重複する説明を適宜省略する。更に、本発明を構成する各要素は、複数の要素を同一の部材で構成して一つの部材で複数の要素を兼用する態様としてもよいし、逆に一つの部材の機能を複数の部材で分担して実現することもできる。
＜１．第１実施形態＞
＜２．第２実施形態＞
＜３．変形例＞
【００１０】
＜１．第１実施形態＞
「全体構造」
図１は、本発明の第１実施形態に係る塗装用内容器の構成例を示す外観斜視図である。また、図２及び図３は、塗装用内容器の構成例を示す断面図である。詳述すると、図２は、図１中のＡ−Ａ´線による切断部の端面を示す図であり、図３は、図１中のＢ−Ｂ´線による切断部の端面を示す図である。
【００１１】
この塗装用内容器１は、塗料を入れておく容器として使用されるものであり、使用者（具体的には、塗装者）が塗装現場等に携行する下げ缶等の外容器に嵌め込んで使用するものである。図４は、外容器の構成例を示す外観斜視図である。図４に示す外容器１０１は、円筒状の側面部１０２と、側面部１０２の一方の筒口を閉塞する底面部１０３と、側面部１０２の他方の筒口側に取り付けられた、使用者によって把持される把持部１０４とを有している。図１から図３に示す塗装用内容器１は、具体的には、この図４に示す外容器１０１の側面部１０２及び底面部１０３によって形成される内部空間（容器内）に着脱自在に取り付け可能なものである。
【００１２】
詳述すると、塗装用内容器１は、図１から図３の各図に示すように、外容器１０１（図４参照）の側面部１０２の内面に沿った曲面状の外面を有する円筒状の側面部２と、側面部２の一方の筒口を閉塞する底面部３とを備えている。例えば、塗装用内容器１は、合成樹脂を成型することで形成され、側面部２及び底面部３が一体的に形成される。塗装用内容器１の材料は、特に限定されるものではなく、以下に説明する構造を形成可能なものであればよい。例えば、塗装用内容器１の材料として、ＰＰ（ポリプロピレン）、ＨＤＰＥ（高密度ポリエチレン）、ＰＥＴ（ポリエチレンテレフタレート）、ＥＳＰ（発泡ポリスチレン）等の樹脂や紙等が挙げられる。
【００１３】
「側面部の詳細構造」
側面部２は、図１に示すように、掛止部４と、刷毛立て部５とを有している。なお、図２及び図３に示すように、側面部２の他方の筒口の開口部２１の内面は、内側に向かって湾曲する凹曲面状に形成されており、刷毛しごきを行い易い構造を有している。
【００１４】
図１及び図２に示す掛止部４は、塗装用内容器１を、外容器１０１（図４参照）の他方の筒口の開口部１０５の周縁に掛止させる為のものである。つまり、掛止部４は、外容器１０１の開口部１０５に掛止される。掛止部４は、具体的には、図１及び図２に示すように、開口部２１の周縁から外側に突出する鍔部２２と、鍔部２２の突端から底面部３側に延びる返し部２３とを有し、開口部２１の周縁の外側に断面Ｌ字状に形成される。この鍔部２２及び返し部２３により、図４に示す外容器１０１の開口部１０５を挟持する挟持部４１（図２中の拡大図参照）を形成する。なお、掛止部４は、具体的には、図１及び図３に示すように、外容器１０１（図４参照）の把持部１０４の取り付け位置を避けるように形成される。これにより、外容器１０１に塗装用内容器１を嵌め入れた際に、掛止部４が外容器１０１の把持部１０４に干渉して塗装用内容器１が浮いてしまうのを防止することができる。なお、外容器１０１の側面部１０２における把持部１０４の取り付け位置部分の縁は、鍔部２２で覆われ、他の縁は、鍔部２２及び返し部２３で覆われる為、外容器１０１の開口部１０５への塗料の付着を防止することができる。
【００１５】
掛止部４は、より具体的には、図２中の拡大図に示すように、挟持部４１の幅が底面部３に近づくにつれて短くなるように形成されており、開口部２１側の幅Ｗ１は、図４に示す外容器１０１の開口部１０５の厚さＴ１よりも長く、底面部３側の幅Ｗ２は、外容器１０１の開口部１０５の厚さＴ１よりも短く形成されている（Ｗ１＞Ｔ１＞Ｗ２）。なお、掛止部４は、弾性を有しており、外容器１０１に嵌め入れる際には、底面部３側の幅Ｗ２を拡げて嵌め入れ可能に構成されている。これにより、外容器１０１の開口部１０５を掛止部４の弾性力によって線状に挟持し、外容器１０１の開口部１０５の周縁に沿った塗装用内容器１の回動を抑止することができる。なお、この外容器１０１の開口部１０５を挟持する構造は、これに限らない。例えば、線状ではなく、点状や面状に挟持する構造であってもよい。
【００１６】
図１に示す刷毛立て部５は、刷毛を塗装用内容器１内に立て掛けた場合における開口部２１における刷毛の一端側（具体的には、持ち手側）の動きを規制する為のものである。図１に示すように、刷毛立て部５は、具体的には、側面部２の内面（より具体的には、開口部２１の内面）に、内側に突出する一対の挟持用突部２４，２５を設けることで形成される。一対の挟持用突部２４，２５の間隔及び各形状は、一対の挟持用突部２４，２５間に立て掛けた刷毛を適切に挟持できるように適宜設定される。例えば、刷毛立て部５は、図示するように、開口部２１の周縁に対して均等に４つ設けられる。このように、複数の刷毛立て部５を設けることで、一方を刷毛立て用として使用し、他方を刷毛しごき用として使用するなど使い分けを行って利便性を向上させることができる。刷毛の柄の太さに応じて立て掛ける場所を変えられるように、各刷毛立て部５における一対の挟持用突部２４，２５間の間隔を異ならせてもよい。なお、この刷毛立て部５の数及び設置場所は、図示したものに限らない。例えば、刷毛立て部５の数は、１つ以上であればよく、また、開口部２１の周縁に対して均等配置されていなくてもよい。
【００１７】
「底面部の詳細構造」
図１から図３の各図に示す底面部３は、刷毛置き部６を有している。刷毛置き部６は、刷毛を塗装用内容器１内に立て掛けた際に底面部３における刷毛の他端側（具体的には、刷毛先側）の動きを規制する為のものである。図示するように、刷毛置き部６は、具体的には、底面部３の内面に、側面部２の開口部２１側に突出する突出部３１を設けることで形成される。具体的には、突出部３１は、開口部２１の周縁から遠い底面部３の中央部に円環状に設けられる。例えば、突出部３１は、図２及び図３に示すように、突端に近づくにつれて幅が狭くなるようにテーパ状に形成される。なお、刷毛置き部６は、図１〜図３に示す形状に限らない。例えば、突出部３１は、円環状に突出した形状に限らず、断面多角形の環状等に形成してもよい。
【００１８】
図５及び図６は、刷毛置き部６の他の構成例を示す断面図である。図５に示す刷毛置き部６は、底面部３の突出部３１によって囲われる部分の底面３２が他の部分の底面３３よりも底上げされた構成を有している。つまり、突出部３１内の刷毛置き部６の底面３２は、突出部３１外の他の部分の底面３３よりも開口部２１側に高く位置している。これにより、図２に示す底上げされていないものと比較して、より多くの塗料を入れた状態で刷毛の柄に塗料が付着しないようにすることができる。
【００１９】
図６に示す刷毛置き部６は、底面３２が開口部２１の刷毛を立て掛ける所定の縁から離れるにつれて深くなるように傾斜した傾斜部３４を有している。具体的には、傾斜部３４は、図示したように、突出部３１内の刷毛置き部６の底面３２を中央部に向かって開口部２１側に山状に傾斜した凸形状とすることで形成される。これにより、塗装用内容器１に刷毛を立て掛けた場合に、刷毛の他端側を突出部３１及び底面３２の境界部に形成される谷部分に安定して置くことができる。
【００２０】
図７は、刷毛置き部６の他の構成例を示す斜視図である。図７に示す刷毛置き部６は、突出部３１に内外を連結する連結部３５を設けて形成されている。なお、連結部３５は、図示したような溝状に限らず、例えば、孔状に設けてもよい。連結部３５を設けることで、塗装用内容器１内で塗料を入れる領域が分離されるのを防止することができる。また、刷毛置き部６は、図５から図７を用いて説明したものを組み合わせた形状によって構成してもよい。これにより、各形状による特徴を備えたものとすることができる。
【００２１】
「塗装用内容器の使用態様」
図８は、塗装用内容器１の使用例を説明するための説明図である。塗装用内容器１は、図示するように、具体的には、外容器１０１に嵌め込まれて使用される。詳述すると、塗装用内容器１を外容器１０１に嵌め込む際には、塗装用内容器１の側面部２の掛止部４が形成されていない部分が外容器１０１の把持部１０４の取り付け部分に位置するようにする。塗装用内容器１は、掛止部４を有することで外容器１０１にしっかりと固定される。前述したように、塗装用内容器１は、掛止部４が外容器１０１の把持部１０４に干渉しない為、外容器１０１から浮き上がるのを防止することができる。また、塗装用内容器１は、掛止部４の挟持部４１（図２参照）によって外容器１０１の開口部１０５（図４参照）の周縁を挟持する為、外容器１０１の開口部１０５に沿った塗装用内容器１の回動を防止することができる。
【００２２】
刷毛を入れておく際には、図示するように、刷毛置き部６に刷毛の他端側を置き、刷毛立て部５に刷毛の一端側を立て掛けるようにする。刷毛立て部５は、側面部２の内面に、内側に突出する一対の挟持用突部２４，２５を設けて形成され、刷毛置き部６は、底面部３に開口部２１側に突出する突出部３１を設けて形成される為、刷毛立て部５及び刷毛置き部６を単純且つコストのかからない構造で形成することができる。また、刷毛立て部５によって、開口部２１における刷毛の一端側の動きが規制されるとともに、刷毛置き部６によって、底面部３における刷毛の他端側の動きが規制される。刷毛の両端の動きが規制されることで刷毛が塗装用内容器１内で動き回るのを防止することができ、刷毛の柄に塗料が付着するのを防止することができる。
【００２３】
＜２．第２実施形態＞
図９は、本発明の第２実施形態に係る塗装用内容器の構成例を示す外観斜視図である。また、図１０は、塗装用内容器の構成例を示す断面図（図９中のＣ−Ｃ´線による切断部の端面を示す図）である。
【００２４】
図９及び図１０に示す本実施形態に係る塗装用内容器１Ａは、前述した塗装用内容器１を平面視で４等分した形状の１つで構成されている点と、１つの刷毛立て部５を１つの挟持用突部２４（図９参照）を設けることで形成している点とが、第１実施形態に係る塗装用内容器１とは相違する。他の点（例えば、塗装用内容器１Ａを構成する各部の詳細構造等）については、第１実施形態で説明した通りであり、ここでは、適宜説明を省略する。
【００２５】
図９及び図１０に示すように、塗装用内容器１Ａは、平面視での断面形状が９０°の内角を有する扇形である筒状の側面部２と、側面部２の一方の筒口を閉塞する底面部３とを備えている。
【００２６】
「側面部の詳細構造」
側面部２は、外容器１０１（図４参照）の側面部１０２に沿った曲面（より詳しくは、外容器１０１の側面部１０２の内面に沿った曲面状の外面）を有する曲面部２６と、平面視で外容器１０１の内部空間を１／４に分割する２つの平面部２７，２８とを有している。具体的には、側面部２は、この３つの面を、互いに隣接するように設けることで筒状に形成されている。
【００２７】
曲面部２６は、掛止部４と、２つの刷毛立て部５とを有している。なお、図１０に示すように、側面部２の他方の筒口の開口部２１における曲面部２６の内面は、内側に向かって湾曲するように凹曲面状に形成されており、刷毛しごきを行い易い構造を有している。
【００２８】
図９に示すように、掛止部４は、塗装用内容器１Ａを、図４に示す外容器１０１の開口部１０５の周縁に掛止させる為のものである。つまり、掛止部４は、外容器１０１の開口部１０５に掛止される。掛止部４は、具体的には、図９及び図１０に示すように、側面部２の開口部２１を構成する曲面部２６の縁から外側に突出する鍔部２２と、鍔部２２の突端から底面部３側に延びる返し部２３とを有し、曲面部２６の縁の外側に断面Ｌ字状に形成される。この鍔部２２及び返し部２３の各構造、機能及び効果等は、前述した第１実施形態の塗装用内容器１と同様である。なお、掛止部４は、図９に示す左側（一方の刷毛立て部５側）及び右側（他方の刷毛立て部５側）のどちらに外容器１０１の把持部１０４の取り付け部分が位置してもよいように、曲面部２６の平面部２７及び平面部２８と各々交わる両端部を避けて形成することが好ましい。これにより、例えば、複数の塗装用内容器１Ａを隣り合わせて外容器１０１に嵌め込んでも、掛止部４が外容器１０１の把持部１０４に干渉して塗装用内容器１Ａが浮いてしまうのを防止することができる。
【００２９】
刷毛立て部５は、刷毛を塗装用内容器１Ａ内に立て掛けた場合における開口部２１における刷毛の一端側（具体的には、持ち手側）の動きを規制する為のものである。図９に示すように、刷毛立て部５は、具体的には、曲面部２６の内面（より具体的には、開口部２１を構成する曲面部２６の内面）における平面部２７近傍及び平面部２８近傍に、それぞれ、内側に突出する挟持用突部２４を設けることで形成される。つまり、図示するように、一方の挟持用突部２４と平面部２７とを用いて刷毛の一端側を挟持して刷毛の動きを規制する刷毛立て部５を形成する。また、他方の挟持用突部２４と平面部２８とを用いて刷毛の一端側を挟持して刷毛の動きを規制する刷毛立て部５を形成する。なお、一方の挟持用突部２４と平面部２７との間及び他方の挟持用突部２４と平面部２８との間の間隔及び各形状は、刷毛立て部５に立て掛けた刷毛を適切に挟持できるように適宜設定される。このように、平面部２７，２８を利用することで、１つの挟持用突部２４を設けるだけで刷毛立て部５を形成することができ、より単純な構造で形成することができる。
【００３０】
刷毛立て部５は、図示するように、平面部２７，２８の近傍に１つずつ設けられることで、一方を刷毛立て用として使用し、他方を刷毛しごき用として使用するなど使い分けを行って利便性を向上させることができる。刷毛の柄の太さに応じて立て掛ける場所を変えられるように、一方の挟持用突部２４及び平面部２７間の間隔と、他方の挟持用突部２４及び平面部２８間の間隔とを異ならせてもよい。なお、この刷毛立て部５の数は、これに限らず、１つ以上あればよい。また、第１実施形態の塗装用内容器１と同様に、一対の挟持用突部（具体的には、図１に示す挟持用突部２４，２５）で刷毛立て部５を形成してもよい。
【００３１】
平面部２７，２８は、具体的には、それぞれ平面状の方形で構成され、外容器１０１の内部空間を１／４に分割するように、平面視でＬ字状に直角に交わるように設けられる。また、図９及び図１０に示すように、開口部２１における平面部２７，２８は、内側に向かって湾曲するように凹曲面状に形成されている。これによって、刷毛しごきを行い易い構造を有しているとともに、後述するように、外容器１０１に複数の塗装用内容器１Ａを嵌め合わせて使用する際に、隣接する塗装用内容器１Ａに塗料が入り込むのを防止することができる。なお、図９に示すように、開口部２１における平面部２７及び平面部２８の境界部については、直角（具体的には、直角に戻るよう）に構成されている。これにより、後述するように、余った塗料を他の容器に移す際に該境界部から容易に塗料を垂らすことができる。
【００３２】
「底面部の詳細構造」
底面部３は、刷毛置き部６を有している。刷毛置き部６は、刷毛を塗装用内容器１Ａ内に立て掛けた際に底面部３における刷毛の他端側（具体的には、刷毛先側）の動きを規制する為のものである。図９及び図１０に示すように、刷毛置き部６は、具体的には、刷毛を立て掛ける曲面部２６の縁から遠い底面部３の内面に、開口部２１側に突出する円弧状の突出部３１を設けることで形成される。なお、それ以外は、前述した第１実施形態と同様である。但し、図１０に二点鎖線で示したように、突出部３１内（突出部３１及び平面部２７，２８で囲われる部分）の刷毛置き部６の底面３２を傾斜させる場合には、刷毛を立て掛ける曲面部２６の縁から遠い、平面部２７及び底面部３による角部と、平面部２８及び底面部３による角部とが、それぞれ谷状となるように、底面３２を突出部３１側が開口部２１に近くなるように傾斜させることが好ましい。これにより、刷毛の他端側を角部（具体的には、平面部２７、平面部２８及び底面部３の３つが交わる角部）に安定して置くことができるようになる。
【００３３】
「塗装用内容器の使用態様」
図１１は、塗装用内容器１Ａの使用例を説明するための模式的な平面図である。図１１Ａは、１つの塗装用内容器１Ａの使用例を示し、図１１Ｂは、４つの塗装用内容器１Ａの使用例を示し、図１１Ｃは、２つの塗装用内容器１Ａの使用例を示し、図１１Ｄは、３つの塗装用内容器１Ａの使用例を示している。
【００３４】
塗装用内容器１Ａは、具体的には、前述した第１実施形態に係る塗装用内容器１と同様に、外容器１０１（図４参照）に嵌め込まれて使用される。塗装用内容器１Ａは、図９等に示す掛止部４、刷毛立て部５及び刷毛置き部６を有することで、前述した第１実施形態に係る塗装用内容器１と同様の作用効果を奏することができる。特に、前述したように、外容器１０１の開口部１０５に沿った塗装用内容器１Ａの回動を防止することができるので、図１１Ａから図１１Ｄに示すように、塗装環境に応じて１から４つの範囲で適宜、塗装用内容器１Ａを外容器１０１に嵌め入れて使用することができる。例えば、複数の塗装用内容器１Ａを用いる場合には、複数種類（例えば、色違い）の塗料を各塗装用内容器１Ａに入れて使用することができるので、従来のように、塗料の種類を変える度に塗装現場と塗料置き場との行き来を繰り返す必要がなくなり、利便性を向上させることができる。また、各塗装用内容器１Ａは、着脱自在に外容器１０１に取り付けられるので、塗料が余った場合に、種類毎に塗料を他の容器に移し替えることができる。
【００３５】
＜３．変形例＞
以上、本発明の好適な実施形態について具体的に説明したが、本発明の内容は、前述した各実施形態に限定されるものではなく種々の変形が可能である。
【００３６】
図１２は、第１変形例による塗装用内容器の構成例を示す外観斜視図である。例えば、前述した第１実施形態では、図１に示すように、挟持用突部２４，２５を、開口部２１部分のみにおいて内側に突出する形状で構成したが、これに限らず、挟持用突部２４，２５は、前述したように刷毛の一端側の動きを規制する刷毛立て部５を形成可能な他の形状で構成してもよい。例えば、図１２に示す塗装用内容器１Ｂでは、挟持用突部２４，２５を、開口部２１から底面部３にかけて内側に突出する突出形状によって構成している。なお、図１２に示す塗装用内容器１Ｂでは、隣り合う挟持用突部２４，２５間の距離を全て均等とすることで、開口部２１の周縁の全て（４箇所）を刷毛立て部５として使えるように構成している。そして、図示するように、塗装用内容器１Ｂは、挟持用突部２４，２５を含めて均一な厚みで形成することが好ましい。これにより、樹脂成形により形成する場合に成形不良を減らすことができる。以上の点は、他の実施形態等についても同様である。
【００３７】
図１３は、第２変形例による塗装用内容器の構成例を示す外観斜視図である。例えば、前述した第２実施形態の塗装用内容器１Ａは、外容器１０１の内部空間を平面視で４分割したうちの１つに応じた形状で構成したが、分割数は、これに限らず、例えば、図示したような２分割したうちの１つに応じた形状で構成してもよいし、８分割したうちの１つに応じた形状で構成してもよい。なお、図１３に示す塗装用内容器１Ｃは、第１実施形態に係る塗装用内容器１を平面視で２等分した形状の１つで構成されている。他の点は、第１実施形態に係る塗装用内容器１と同様である。
【００３８】
つまり、塗装用内容器１Ｃは、図示するように、平面視での断面形状が半円形である筒状の側面部２と、側面部２の一方の筒口を閉塞する底面部３とを備えている。そして、側面部２は、外容器１０１（図４参照）の側面部１０２の内面に沿った曲面状の外面を有する曲面部２６と、平面視で外容器１０１の内部空間を１／２に分割する平面部２７とを有しており、互いに隣接する曲面部２６及び平面部２７によって筒状に形成されている。この塗装用内容器１Ｃは、第１実施形態の塗装用内容器１と同様、鍔部２２及び返し部２３による掛止部４と、一対の挟持用突部２４，２５による刷毛立て部５と、突出部３１による刷毛置き部６とを有している。したがって、この塗装用内容器１Ｃにおいても、前述した各実施形態と同様の作用効果を奏することができる。
【００３９】
図１４は、第３変形例による塗装用内容器の構成例を示す模式的な平面図である。図１４に示す塗装用内容器１Ｄは、第１実施形態に係る塗装用内容器１を平面視で３等分した形状の１つで構成されている。また、前述した第２実施形態では、刷毛置き部６を形成する突出部３１は、断面円弧状の突出形状であったが、この塗装用内容器１Ｄでは、図示するように、突出部３１を断面Ｗ字状で構成している。他の点は、前述した各実施形態と同様である。突出部３１を断面Ｗ字状とすることで、刷毛を平面部２７，２８に沿った状態でそれぞれ安定して置くことができる。
【００４０】
図１５は、第４変形例による塗装用内容器の構成例を示す図である。図１５Ａは、塗装用内容器の構成例を示す模式的な平面図であり、図１５Ｂは、突出部３１の構成例を示す斜視図である。前述した第２実施形態では、刷毛置き部６を形成する突出部３１は、断面円弧状の壁状のものであったが、図１５Ａ及び図１５Ｂに示すように、突出部３１は、方形状等の突出形状で構成してもよい。なお、刷毛は、図１５Ａに二点鎖線で示すように、突出部３１及び平面部２７，２８間に置くようにする。これにより、突出部３１を突起だけが出た形状で構成することができ、形成が容易且つ丈夫に形成することができる。また、突出部３１を開口部２１側に高く形成することができ、安定して刷毛を置くことができる。他の点は、前述した第２実施形態と同様である。
【００４１】
図１６は、第５変形例による塗装用内容器の構成例を示す断面図である。なお、図１６は、前述した第２実施形態の説明において使用した図１０に相当する図である。前述した第２実施形態では、図１０に示す底面３２を二点鎖線で示すように傾斜させてもよいと説明したが、傾斜方向はこれに限らない。例えば、図１６に示す塗装用内容器１Ｆのように、前述した説明とは逆に、底面３２を突出部３１側が開口部２１から遠くなるように傾斜させてもよい。前述した第２実施形態の塗装用内容器１Ａ（図９参照）の場合、刷毛の種類によっては、塗装用内容器１Ａを嵌め入れた外容器１０１（図４参照）を大きく傾けた場合に、刷毛が挟持用突部２４を飛び越えて刷毛立て部５でない挟持用突部２４間にはじき出される場合がある。その場合、この挟持用突部２４間において刷毛しごきを行っていた場合には、刷毛の柄が塗料で汚れてしまうことになる。しかしながら、図１６に示すように底面３２を傾斜させることで、刷毛が挟持用突部２４を飛び越えにくくすることができる。
【００４２】
図１７は、第６変形例による塗装用内容器の構成例を示す図である。図１７Ａは、塗装用内容器の構成例を示す模式的な平面図であり、図１７Ｂは、前述した第２実施形態の説明において使用した図１０に相当する図である。前述した第２実施形態では、平面部２７は、平面状の構成としたが、平面部２７は、部分的に凹凸を有していてもよい。例えば、図１７に示す塗装用内容器１Ｇのように、平面部２７を、平面２７Ｂと、平面２７Ｂから外側に突出する突起部２７Ｃとで構成し、突起部２７Ｃによって隣同士の容器がしっかり固定されるように形成してもよい。ここで、この塗装用内容器１Ｇにおいては、図１７Ｂに示すように、平面部２７の端部において掛止部４と同様に外側に突出する隣接部２７Ｄを設けている。平面部２８についても同様である。具体的には、複数の塗装用内容器１Ｇを外容器１０１に嵌め入れた場合、各塗装用内容器１Ｇの隣接部２７Ｄが当接する。また、例えば、その際、突起部２７Ｃと、隣接する塗装用内容器１Ｇの平面部２８とが当接（又は近接）するようにすることで各塗装用内容器１Ｇをしっかりと固定することができる。なお、突起部２７Ｃは、平面部２７側に設けることに限らず、平面部２８側又は平面部２７，２８の双方に設けてもよい。
【００４３】
なお、図１８に示すように、使用する際に、１つの外容器１０１に分割数の異なるものを複数嵌め入れてもよい。図示した例では、１つの塗装用内容器１Ａと、１つの塗装用内容器１Ｃと、２つの塗装用内容器１Ｈ（８分割に対応するもの）とを嵌め入れて使用している。このように使用することで、例えば、多く使用する色の塗料は、塗装用内容器１Ｃに入れ、あまり使わない色の塗料は、塗装用内容器１Ｈに入れる等、使用する塗料の量も考慮した使い方を行うことができる。
【００４４】
また、例えば、前述した各実施形態等では、円筒状の側面部１０２を有する外容器１０１に嵌め入れる塗装用内容器１，１Ａについて説明したが、塗装用内容器を嵌め入れる外容器の側面部は、円筒状のものに限らず、開口部が楕円や多角形である筒状の側面部を有する外容器に嵌め入れるものであってもよい。この場合、前述した塗装用内容器１の側面部２又は塗装用内容器１Ａの曲面部２６を外容器の側面部の内面に沿った構造とし、外容器に嵌め入れ可能な形状に構成すればよい。変形例についても同様である。
【００４５】
更に、例えば、前述した第２実施形態では、外容器１０１の内部空間を平面視で均等に１／４に分割する平面部２７，２８を有する構造について例示したが、平面部による分割は、均等分割に限らない。変形例についても同様である。
【００４６】
なお、本明細書中の各実施形態及び変形例に記載した技術を可能な範囲で適宜組み合わせてもよいことは言うまでもない。
【符号の説明】
【００４７】
１，１Ａ，１Ｂ，１Ｃ，１Ｄ，１Ｅ，１Ｆ，１Ｇ，１Ｈ・・・塗装用内容器、２・・・側面部、３・・・底面部、４・・・掛止部、５・・・刷毛立て部、６・・・刷毛置き部、２１・・・開口部、２４・・・挟持用突部、２５・・・挟持用突部、２６・・・曲面部、２７・・・平面部、２８・・・平面部、３１・・・突出部
【要約】
【課題】本発明の目的の一つは、より利便性を高めることができる塗装用内容器を提供することにある。
【解決手段】前述した課題を解決する為に、筒状の側面部と、前記側面部の一方の筒口を閉塞する底面部とを備え、前記側面部は、内側に突出する挟持用突部を設けて形成された、他方の筒口の開口部における刷毛の一端側の動きを規制する刷毛立て部を有し、前記底面部は、前記側面部の開口部側に突出する突出部を設けて形成された、該底面部における刷毛の他端側の動きを規制する刷毛置き部を有する塗装用内容器とする。
【選択図】図１【図１】
0006721261.tif 000002
【図２】
0006721261.tif 000003
【図３】
0006721261.tif 000004
【図４】
0006721261.tif 000005
【図５】
0006721261.tif 000006
【図６】
0006721261.tif 000007
【図７】
0006721261.tif 000008
【図８】
0006721261.tif 000009
【図９】
0006721261.tif 000010
【図１０】
0006721261.tif 000011
【図１１】
0006721261.tif 000012
【図１２】
0006721261.tif 000013
【図１３】
0006721261.tif 000014
【図１４】
0006721261.tif 000015
【図１５】
0006721261.tif 000016
【図１６】
0006721261.tif 000017
【図１７】
0006721261.tif 000018
【図１８】
0006721261.tif 000019